(57)【要約】      （修正有）【課題】人眼の隅角画像を撮影する装置において利用される新規な模型眼を提供する。【解決手段】眼科撮影装置は、人眼の視軸に対して傾斜した撮影光軸を介して照明光を投受光することによって、人眼の隅角領域を撮影する。模型眼１０１は、円筒形状の本体部１１０と、本体部１１０の前面１２０から入射した照明光の少なくとも一部が照射され、本体部の後面において、その外側の領域とは明暗が異なる疑似虹彩部１３０と、を備え、疑似虹彩部１３０の外周近傍の領域が、隅角領域を模した疑似隅角部を形成する。【選択図】図１
2018187018.tif 000002
【特許請求の範囲】
【請求項１】
人眼の視軸に対して傾斜した撮影光軸を介して照明光を投受光することによって、人眼の隅角領域を撮影する眼科撮影装置のための模型眼であって、
円筒形状の本体部と、
前記本体部の前面から入射した前記照明光の少なくとも一部が照射され、前記本体部の後面において、その外側の領域とは明暗が異なる疑似虹彩部と、を備え、
前記疑似虹彩部の外周近傍の領域が、前記隅角領域を模した疑似隅角部を形成する、模型眼。
【請求項２】
前記疑似虹彩部は、その外側の領域に対して暗色が付されている請求項１記載の模型眼。
【請求項３】
前記疑似虹彩部は、前記外周が前記本体部の中心軸を中心とする円形状に形成される、請求項１又は２記載の模型眼。
【請求項４】
前記疑似虹彩部は、前記後面と前記側面との交差する位置が、前記疑似虹彩部の外周として形成されており、
前記後面と前記側面とが成す角によって疑似的な隅角が形成される請求項３記載の模型眼。
【請求項５】
前記疑似隅角部には、前記隅角領域における線状特徴部を模した模様を、疑似特徴部として更に備えることを特徴とする請求項１から４のいずれかに記載の模型眼。
【請求項６】
前記本体部の前面は、レンズ面として形成されている、請求項１から５のいずれかに記載の模型眼。
【発明の詳細な説明】
【技術分野】
【０００１】
本発明は、模型眼に関する。
【背景技術】
【０００２】
緑内障診断において、被検眼の隅角を観察することが有用である。隅角の観察は、従来、隅角鏡（ゴニオレンズ）を介して検者が目視で行っていた。近年では、隅角を撮影する種々の装置が提案されている。例えば、特許文献１には、人眼の視軸に対して傾斜した光軸を介して照明光を人眼に対して投受光し、人眼の隅角画像を撮影する装置が開示されている。
【先行技術文献】
【特許文献】
【０００３】
【特許文献１】国際公開２０１５／１８０９２３号
【発明の概要】
【発明が解決しようとする課題】
【０００４】
しかしながら、特許文献１に例示された装置の動作確認等に適した模型眼は従来存在していなかったため、動作確認等を速やかに行うことが難しかった。
また、特許文献１に例示された装置は、眼に対して装置の先端を近接させて撮影する必要があるので、装置を新規に施設に導入した際、撮影操作のデモンストレーション、または訓練等のための模型眼が必要となると考えられる。
【０００５】
本開示は、従来技術の問題点に鑑みてなされたものであり、人眼の隅角画像を撮影する装置において利用される新規な模型眼を提供することを目的とするものである。
【課題を解決するための手段】
【０００６】
本開示の第一態様に係る模型眼は、人眼の視軸に対して傾斜した撮影光軸を介して照明光を投受光することによって、人眼の隅角領域を撮影する眼科撮影装置のための模型眼であって、円筒形状の本体部と、前記本体部の前面から入射した前記照明光の少なくとも一部が照射され、前記本体部の後面において、その外側の領域とは明暗が異なる疑似虹彩部と、を備え、前記疑似虹彩部の外周近傍の領域が、前記隅角領域を模した疑似隅角部を形成する。
【発明の効果】
【０００７】
本開示によれば、人眼の隅角画像を撮影する装置において利用される新規な模型眼を提供できる。
【図面の簡単な説明】
【０００８】
【図１】実施例に係る模型眼を示した図である。
【図２】実施例の眼科撮影装置の概略構成を示した模式図である。
【図３】撮影光学系の一例を示した模式図である。
【図４】（ａ）は実施例に係る眼科撮影装置で撮影した人眼の隅角画像であり、（ｂ）は模型眼の撮影画像である。
【図５】固視標を、撮影光学系のレンズ中心に導くための構成を示した、撮影光学系における部分断面図である。
【発明を実施するための形態】
【０００９】
「概要」
以下、実施形態に基づいて、本開示の模型眼を説明する。本実施形態の模型眼は、人眼の前眼部、特に、少なくとも隅角部分を疑似的に表した構造を有する。
本実施形態の模型眼は、人眼の視軸に対して傾斜した撮影光軸を介して照明光を投受光することによって人眼の隅角領域を撮影する、眼科撮影装置において、利用される。例えば、眼科撮影装置の動作確認等に利用されてもよい。また、施設に装置を導入した際の、撮影操作のデモンストレーション、または、検者の操作訓練等において、人眼の代わりに上記の眼科撮影装置によって撮影されてもよい。
【００１０】
模型眼は、少なくとも、本体部と、疑似虹彩部と、疑似隅角部と、を含む。
【００１１】
本体部は、模型眼の本体部分であり、円筒状（円柱状）に形成される。つまり、円筒状（円柱状）の側面を持つ。また、本体部は、透明なガラス、又は、樹脂などによって形成されていてもよい。
【００１２】
なお、本体部の側面外周は、前後方向（円筒の中心軸に沿う方向）の各位置において、必ずしも一定の半径の円で形成されている必要はなく、端部側ほど細くなるように、あるいは、中ごろが最も細くなるように、テーパーがついていてもよい。換言すれば、本体部の側面外周は、厳密な円柱である必要はなく、樽形状、糸巻き形状、錐台形状等であってもよい。
【００１３】
本体部は、円筒の中身が詰まったソリッドな部材であってもよいし、円筒の中身が無い中空構造の部材であってもよい。また、円筒部分の中身は、外部とは異なる屈折率の部材（例えば、オイル等）で充填されていてもよい。
【００１４】
本体部の前面は、少なくとも、撮影装置からの照明光の入射窓となる。前面は、レンズ面（球面）が形成されていてもよい。レンズ面に代えて、平面などの壁状の面が形成されていてもよい。
【００１５】
詳細は実施例にて後述するが、例えば、眼科撮影装置の撮影光軸は、視軸に対して大きく傾斜していることから、極めて短い作動距離で撮影する必要が生じる場合がある。このとき、装置の先端部（検査窓）と、照明光の角膜反射を抑制し、且つ、装置の先端界面における屈折を緩和するために、人眼の角膜と、の間に、ジェルを介在し、撮影を行う方法が考えられる。模型眼での撮影も同様にジェルを介して行う場合、模型眼の前面に壁状の面があることで、眼科撮影装置と模型眼との間のジェルの介在状況を、各撮影で一定化できる。
【００１６】
但し、必ずしもこれに限られるものではなく、模型眼の本体部が中空構造である場合において、前面部分は、中空部へつながる開口として形成されていてもよい。
【００１７】
疑似虹彩部は、人眼の虹彩を模した部分である。疑似虹彩部は、本体部の後面、側面の一部、または、側面の一部と後面の両方、において形成される。
【００１８】
眼科撮影装置が模型眼に対して適正アライメント状態にある場合において、眼科撮影装置から照射される照明光の照射範囲に、疑似虹彩部が含まれる。例えば、隅角周辺の組織を、隅角を挟んで角膜側と虹彩側とに大別した場合に、疑似虹彩部の外周が、模型眼における角膜側と虹彩側とを区別するための境界となり得る。
【００１９】
疑似虹彩部は、その外側の領域とは明暗が異なる。好ましくは、外側の領域に対して、暗色が付されていることが好ましい。ここでいう暗色は、照明光の吸収量が、相対的に大きいことをいう。色は、本体部の一面に対して着色することで表現されてもよいし、別部材を接着・付着等することで表現されてもよい。一例として、人眼の虹彩に近い色（例えば、青、緑、茶等）で着色することで、疑似虹彩部が形成されてもよい。なお、疑似虹彩部は、その内部の領域が一様に着色等される必要は必ずしもなく、外周に近い一部のみが着色等されていてもよい。
【００２０】
疑似虹彩部の外周は、本体部の中心軸を中心とする円形状に形成されていてもよい。例えば、本体部の後面と側面との交差する位置が、疑似虹彩部の外周として形成されてもよい。この場合、後面と側面とが成す角によって、疑似的な隅角が形成される。
【００２１】
疑似虹彩部の外周近傍の領域が、隅角領域を模した疑似隅角部となる。つまり、当該部分が眼科撮影装置によって撮影されることにより、人眼の隅角を撮影した場合と同様の、虹彩部分と角膜部分とを含む疑似的な隅角画像が得られる。
【００２２】
疑似隅角部には、人眼の隅角領域における線状特徴部を模した模様が、疑似特徴部として更に設けられていてもよい。例えば、線維柱帯、Ｓｃｈｗａｌｂｅ（シュワルベ）線、強膜岬、毛様体帯、および、病変による特徴等のうち、いずれかを模擬した線状の模様が、後面においてリング状に、或いは、側面部分の外周を囲むようなリング状に、付されていてもよい。
【００２３】
なお、模型眼の厚み、直径などの各寸法は、材料の屈折率に基づいて当業者が適宜設定できる事項と考えられるので、説明は省略する。
【００２４】
「実施例」
以下、図面を参照して、本開示に係る模型眼の実施例を示す。
【００２５】
図１を参照し、実施例に掛かる模型眼１０１を説明する。模型眼１０１は、透明な樹脂でソリッドに形成された樹脂模型眼である。
【００２６】
模型眼１０１は、本体部１１０と、前面１２０と、疑似虹彩部１３０と、疑似隅角部１４０と、を有する。実施例において、模型眼１０１は、コバを有する平凸レンズの外観をしており、凸面（レンズ面）が、前面１２０である。一方、平坦な面である後面に、疑似虹彩部１３０が設けられている。疑似虹彩部１３０は、平坦な面が、人眼の虹彩に近い色で着色されることによって表現されている。本実施例の模型眼１０１は、一面を着色することで疑似虹彩部１３０が形成されているので、製造時の作業が容易である。
【００２７】
疑似隅角部１４０は、本体部１１０における側面と疑似虹彩部１３０とが交わる領域として形成される。つまり、本実施例では、平凸レンズの平面と側面とによって形成される角部が、疑似隅角部１４０である。
【００２８】
また、本体部１１０側面のレンズコバの一部には、溝堀加工がなされており、その溝堀部分に対して着色されることで、隅角の線状特徴部が疑似的に表現されている。溝掘加工によって、着色作業が容易になる。例えば、線維柱帯を示す線が、疑似的に本体部１１０の側面に形成されていてもよい。この箇所の着色は、疑似虹彩部１３０とは異なる色で行うことが好ましい。眼科撮影装置１による撮影画像を観察したときに、疑似虹彩部１３０と、疑似的な線状特徴部との区別を、検者が容易に行うことができる。
【００２９】
なお、本実施例では、疑似的な線状特徴部が１つだけ形成されている場合を例示したが、必ずしもこれに限られるものではなく、互いに異なる特徴部と対応する複数の線状特徴部が、本体部１１０の側面に形成されていてもよい。この場合、各々の線状特徴部の種別毎に、異なる色、或いは、異なる線種で、線状特徴部が形成されていてもよい。
【００３０】
次に、図２〜図５を参照して、模型眼の撮影に用いられる、眼科撮影装置１の概略構成を説明する。眼科撮影装置１は、隅角撮影装置である。眼科撮影装置１は、被検眼の隅角の反射画像を撮影する。
【００３１】
＜眼科撮影装置の装置構成＞
まず、図２を参照して、眼科撮影装置１に対する模型眼の取り付け態様を説明する。実施例に掛かる模型眼１０１は、図２においては、模型眼ユニット１００に含まれており、模型眼ユニット１００として、眼科撮影装置１に対して固定される。
【００３２】
なお、以下の説明では、図２に示すＸ方向を左右方向、Ｙ方向を上下方向、Ｚ方向を前後方向として説明する。
【００３３】
眼科撮影装置１は、模型眼１０１の中心軸に対して、斜め方向に照明光を照射する。」眼科撮影装置１における撮線状影光軸は、固視光軸に対して傾斜し、且つ、隅角領域へ向かっている。眼科撮影装置１は、撮影光軸に沿って、隅角領域からの反射光の受光を行い、これにより、被検眼の隅角領域における反射画像を、隅角画像として撮影する。
【００３４】
図２に示すように、眼科撮影装置１は、基台３、アライメント機構４、顔支持ユニット６、ジョイスティック７、モニタ８、および、光学ユニット１０等、を有する。
【００３５】
光学ユニット１０は、隅角の反射像の撮影に利用される主要な光学系を有する。光学系の詳細は、図３を参照して後述する。実施例において、光学ユニット１０は、カバー１０ａ内に収容される。但し、先端部１１については、カバー１０ａの外に露出される。
【００３６】
基台３は、移動台４、および、顔支持ユニット６を、支持する。本実施例において、模型眼ユニット１００は、顔支持ユニット６に設けられたアゴ台の上に取り付けられる。
【００３７】
本実施例における移動台４は、基台３の上に配置され、基台３との間に、メカニカルな移動機構を有する。この移動機構は、ＸＺ方向に移動台４を移動させ、その結果、ＸＺ方向に関する被検眼Ｅと光学ユニット１０との位置関係を調整する。検者は、ジョイスティック７を操作することによって、移動台４を基台３に対して移動させる。
【００３８】
モニタ８は、検者側の筐体側面に配置されている。モニタ８は、光学ユニット１０を介して撮影された隅角画像を表示する表示部であってもよい。
【００３９】
次に、図３を参照して、眼科撮影装置１の光学構成を説明する。眼科撮影装置１は、撮影光学系３０を少なくとも有している。また、本実施例では、更に、固視光学系７０を有している。
【００４０】
＜固視光学系＞
便宜上、まず、固視光学系７０を説明する。固視光学系７０は、少なくとも、固視光源（固視標）７１を、有する。また、図３において、固視光学系７０は、更に、アパーチャ７２、レンズ７３、および、ミラー７４、を有する。光源７１から出射された光（固視光束）は、アパーチャ７２を介して、レンズ７３を通過することで、所定の光束径でコリメートされる。コリメートされた光が、ミラー７４によって折り曲げられる。そして、固視光束は、レンズ４９，および，対物反射部５０（本実施例では、プリズム）の中心部を通過して模型眼１０１に対して投影される。ここで、ミラー７４は、照明光を遮らない位置に配置される。ミラー７４を取り付ける具体例については、撮影光学系３０を具体的に示した後、図５を参照して、後述する。
【００４１】
図３では、固視光学系７０の光軸（より詳細には、固視光学系７０の光軸のうち、ミラー７４から模型眼１０１までの範囲）を、Ｌ１の符号で表す。また、Ｌ１を、固視光軸と称する。図３に示す撮影光学系３０の各部材は、固視光軸Ｌ１を基準として配置されている。
【００４２】
＜撮影光学系＞
撮影光学系３０は、投光光学系４０と、受光光学系６０と、を有する。また、撮影光学系３０は、撮影光軸Ｌ２を有する。撮影光軸Ｌ２は、固視光軸Ｌ１に対して傾斜配置され、且つ、模型眼１０１の隅角へ向かう。
【００４３】
投光光学系４０は、対物反射部５０と、光偏心部４８と、を、少なくとも有する。また、実施例において、投光光学系４０は、光源４１、レンズ４２、アパーチャ４３、レンズ４４、ミラー４５、リングアパーチャ４６、穴開きミラー４７、レンズ４９、を、有している。
【００４４】
光源４１は、隅角に照射される照明光の光源である。本実施例において、光源４１は、可視光を出射する。以下の説明では、隅角画像をカラー画像として得るために、波長域が異なる複数色の光（例えば、白色光）を、少なくとも出射可能であるものとする。
【００４５】
光源４１からの光（照明光）は、レンズ４２、アパーチャ４３、レンズ４４、ミラー４５、リングアパーチャ４６、および、穴開きミラー４７、を経由して、光偏心部４８に入射される。
【００４６】
ここで、リングアパーチャ４６は、撮影光学系３０の内部での反射による迷光を抑制するために設けられている。例えば、レンズ４８ｃ，レンズ４９等の光源４１側の表面による反射が、リングアパーチャ４６によって抑制される。
【００４７】
また、穴開きミラー４７は、投光光学系４０と、受光光学系６０との光路を分岐させる光路分岐部の一例である。穴開きミラー４７に代えて、ハーフミラー等の他のビームスプリッタが適用されてもよい。本実施例では、光源４１からの光は、穴開きミラー４７の鏡面によって、光偏心部４８に向かうように反射される。
【００４８】
なお、本実施例では、穴開きミラー４７で反射された照明光の光路中心が、固視光軸Ｌ１と同軸となっている。
【００４９】
光偏心部４８は、照明光の光路を、固視光軸Ｌ１に対して偏心させる。本実施例では、平行に配置された２枚のミラー４８ａ，４８ｂを用いて照明光の光路中心を、固視光軸Ｌ１に対して所定間隔だけ、シフトする。シフトされた照明光は、レンズ４８ｃを通過して、光偏心部４８から外に照射される。
【００５０】
レンズ４９、および、対物反射部５０は、それぞれの光軸が、光偏心部４８によって偏心された照明光の光路中心から離れた位置に配置されている。本実施例において、レンズ４９、および、対物反射部５０における、それぞれの光軸は、固視光軸Ｌ１と同軸に配置されている。
【００５１】
照明光は、レンズ４９の周辺部（光軸から離れた領域）を通過して、対物反射部５０へ導かれる。本実施例において、レンズ４９は、マイナスパワーを持つレンズであり、光偏心部４９から、固視光軸Ｌ１と略平行に出射される照明光を、固視光軸Ｌ１から離れる向きに折り曲げて、対物反射部５０に入射させる。
【００５２】
対物反射部５０は、照明光を、固視光軸Ｌ１側に折り曲げる反射面を持つ。反射面によって反射された照明光の光軸を、固視光軸Ｌ１に対して大きく傾斜するように折り曲げて、装置外部に導く。このとき、装置外部へ導かれる光軸が、本実施例における撮影光軸Ｌ２として利用される。装置からの照明光は、撮影光軸Ｌ２に沿って、模型眼１０１の疑似隅角部１４０を含む領域へ照射される。模型眼１０１を人眼に置き換えた場合に、照明光は人眼の隅角領域へ照射されるような条件で、模型眼１０１の厚み、半径、等が設定されている。
【００５３】
本実施例において、対物反射部５０には、複数枚の反射面が、光軸周りに並べられて配置されている。対物反射部５０の具体例として、本実施例では、例えば、正多角形を底面に持つ、錐台形状のプリズムが利用されるものとする。より詳細には、底面は、正１６角形であり、１６枚の側面を有するプリズムが利用される。本実施形態では、模型眼１０１からみて、０°、２２．５°、４５°、６７．５°、９０°・・・（中略）…３３７．５°の各方向に、固視光軸Ｌ１に向けられた反射面が配置されている。なお、各々の角度は、固視光軸Ｌ１を基準とした角度である。また、説明の便宜上、０°は、水平面上（より詳細には、眼科撮影装置１から見て、水平面上の右側）とする。
【００５４】
但し、反射面は、複数枚に分かれている必要は、必ずしもなく、一連の曲面で形成されていてもよい。また、対物反射部５０は、必ずしもプリズムである必要はなく、例えば、反射鏡であってもよい。反射鏡の場合、光軸側に反射面を持つ、筒状の多面鏡または曲面鏡であってもよい。
【００５５】
ここで、本実施例の眼科撮影装置１は、光偏心部４８を、固視光軸Ｌ１の周りに回転させる駆動部（図示せず）を有する。光偏心部４８の回転に応じて、レンズ４９および対物反射部５０に対する照明光の入射位置が、固視光軸Ｌ１の周りに回転される。その結果、撮影光軸Ｌ２が固視光軸Ｌ１の周りに回転され、結果として、隅角の全周における照明光の照射位置が、変位される。
【００５６】
本実施例では、対物反射部５０（プリズム）と、模型眼１０１との間に、ジェルＧが介在される。ジェルＧは、模型眼１０１の表面による照明光の反射を抑制し、且つ、対物反射部５０の先端界面における屈折を緩和するために、塗布等される。人眼を撮影する際には、角膜へ塗布等される。なお、ジェルＧは、図示なき保持容器に充填された状態で、模型眼１０１および対物反射部５０の先端の両方に、接していてもよい（詳細は、本出願人による「特開２００２−１７６８０号公報」等を参照）。
【００５７】
投光光学系４０が照射した照明光は、疑似隅角部１４０およびその近傍で反射され、撮影光軸Ｌ２を辿って装置内部の受光光学系６０へ導かれる。
【００５８】
本実施例において、受光光学系６０は、撮像素子（受光素子の一例）６２を、少なくとも有する。また、受光光学系６０は、対物反射部５０、および、穴開きミラー（ビームスプリッタ）４７を、投光光学系４０と少なくとも共用する。更に、光偏心部４８、レンズ４９、等を、を投光光学系４０と共用していてもよい。また、受光光学系６０は、フォーカスレンズ６１を有する。フォーカスレンズ６１は、本実施例の撮影光学系３０におけるフォーカス変更部の一部である。フォーカスレンズ６１を光軸に沿って移動させる駆動部６１ａが、眼科撮影装置１には設けられている。駆動部６１ａは、例えば直動アクチュエータを含んでいてもよい。
【００５９】
反射光は、対物反射部５０、レンズ４９、および、光偏心部４８を介して、穴開きミラー４７へ照射される。その後、反射光は、穴開きミラー４７の開口、および、フォーカスレンズ６１、をそれぞれ通過して、撮像素子６２において結像される。結果、照明光が照射された部位を撮影位置とする、疑似的な隅角画像が、撮像素子６２からの受光信号に基づいて得られる。
【００６０】
ここで、図４（ａ）に、本実施例に係る眼科撮影装置１によって、人眼を撮影して得られた隅角画像を示し、図４（ｂ）に、同条件で模型眼１０１を撮影したときの、疑似的な隅角画像を示す。図４（ａ）と、図４（ｂ）との比較から明らかなように、疑似的な隅角画像において、虹彩との境界部分、線状特徴部等の隅角画像における特徴を、模型眼１０１による疑似的な隅角画像において、良好に再現されている。
【００６１】
また、光偏心部４８を回転させ、撮影光軸Ｌ２を固視光軸Ｌ１の周りに回転させることにより、模型眼１０１の隅角の全周における撮影位置を切換えることができる。前述したように、本実施例では、対物反射部５０が、１６枚の反射面を有するので、隅角の全周を１６分割してその各々を、選択的に撮影できる。各撮影位置で撮影された隅角画像は、印刷または表示されることによって、図示無きモニタへ表示されてもよい。適正なアライメント状態で撮影された各々の隅角画像において疑似隅角部が所期する位置に描写されていることとが確認される場合は、撮影動作は正常である。また、アライメント調整が隅角画像に基づいて行われる装置では、当該場面においても、模型眼を利用することが考えられる。この場合、隅角全周において撮影位置が対角な関係にある２箇所の隅角画像のそれぞれに含まれる疑似隅角部を基準にして、アライメント調整が、自動で、又は、手動で行われてもよい。
【００６２】
＜固視光学系のミラーの固定方法＞
ここで、図５を参照して、本実施例におけるミラー７４の固定方法について説明する。図５に示すように、ミラー７４は、レンズ４９と光偏心部４８との間に配置される。光偏心部４８の各回転位置において、照明光の通過位置にミラー７４およびミラーの取付部材が重なってしまうことは好ましくない。そこで、本実施形態では、ミラー７４は、取付部材７５を介してレンズ４９の中心部に固定されている。
【００６３】
取付部材７５は、接続部７５ａと、ミラー保持部７５ｂとを有する。
【００６４】
図５に示すように、ミラー７４、および、取付部材７５は、いずれも、レンズ４９の直径に対して十分小さなサイズで形成される。具体的には、ミラー７４、および、取付部材７５のサイズは、被検眼の隅角に対して投受光される照明光を、遮らないようなサイズとなっている。
【００６５】
取付部材７５は、ミラー保持部７５ａと、接続部７５ｂとに大別される。ミラー保持部７５ａは、レンズ４９の光軸に対してミラー７４を傾斜した状態で保持する。接続部７５ｂは、レンズ４９との接続部分である。ミラー７４で反射される固視光束の通過領域を空けて、接続部７５ｂは形成されている。実施例では、接続部７５は、パイプ状に形成されている。
【００６６】
また、本実施例では、レンズ４９の中心部に、貫通口が形成されており、取付部材７５において接続部７５ｂを貫通口へ挿入して、取付部材７５が、レンズ４９へ取り付けられる。貫通口は、接続部７５ｂの外周と略一致する大きさで形成されている。このため、製造時に、ミラー７４を、レンズ４９に対して容易に位置決めし、固定できる。
【００６７】
ここで、レンズ４９は、貫通口が予め形成されたモールドレンズであってもよい。レンズ４９に対して貫通口の穴あけ加工を行う場合に比べ、製造時の工程を抑制でき、且つ、穴あけに伴う不良の発生も抑制できる。
【００６８】
なお、図５には、レンズ４９に対してミラー７４が固定される実施例を示したが、ミラーの固定方法として、他の方法が適用されてもよい。例えば、必ずしもレンズ４９に貫通口を設ける必要なく、単に、レンズ４９に取付部材を、接着剤等で接着することで、レンズ４９に対してミラー７４を固定してもよい。また、例えば、ミラー７４は、レンズ４９の鏡筒に取り付けられてもよい。この場合、ミラー７４は、例えば、中心部のみに反射面が形成され、周辺部が透過面となっている部材であってもよい。このとき、反射面は、レンズ４９の中心部と略同じ大きさで形成されてもよい。また、例えば、ミラー７４は、照明光を透過し、固視光束を反射する波長選択ミラーであってもよい。
【００６９】
以上、実施形態に基づいて本開示を説明したが、本開示は、上記形態に限定されるものではなく、種々の変容が可能である。
【符号の説明】
【００７０】
１      眼科撮影装置
１０１  模型眼
１１０  本体部
１２０  前面
１３０  疑似虹彩部
１４０  疑似隅角部
【図１】
2018187018.tif 000003
【図２】
2018187018.tif 000004
【図３】
2018187018.tif 000005
【図４】
2018187018.tif 000006
【図５】
2018187018.tif 000007